Podtech/llm-jp-corpus-v4-ja_patent huggingface dataset:
【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
インクを吐出する吐出口と、前記インクを吐出するためのエネルギーを発生する吐出素子と、前記吐出口と前記吐出素子の間で連通してその内部に前記インクが流通する第１流路及び第２流路と、を具備する記録ヘッドから前記インクを吐出して画像を記録するインクジェット記録方法であって、
前記吐出口から前記インクを吐出する吐出工程と、
前記吐出工程とは別の、前記第１流路内の前記インクを前記第２流路へと流動させる流動工程と、を有し、
前記インクが、顔料、及びエチレンオキサイド基を有する化合物を含有する水性インクであり、
前記エチレンオキサイド基を有する化合物が、下記の、化合物Ａ、化合物Ｂ、及び化合物Ｃからなる群より選ばれる少なくとも１種であることを特徴とするインクジェット記録方法。
化合物Ａ：３価以上の多価アルコールにＸモルのエチレンオキサイド基及びＹモルのプロピレンオキサイド基が付加した、｛Ｘ／（Ｘ＋Ｙ）｝×１００（％）の値が５％以上４５％以下の多価アルコール誘導体
化合物Ｂ：数平均分子量６００以上４，０００以下のポリエチレングリコール（但し、前記インク中の前記化合物Ｂの含有量（質量％）は、前記顔料の含有量（質量％）に対する質量比率で、０．１０倍以上である）
化合物Ｃ：炭化水素基の炭素数が１２以上のポリオキシエチレンアルキルエーテル
【請求項２】
前記化合物Ａの｛Ｘ／（Ｘ＋Ｙ）｝×１００（％）の値が、１０％以上３０％以下である請求項１に記載のインクジェット記録方法。
【請求項３】
前記多価アルコールが、ソルビトールである請求項１又は２に記載のインクジェット記録方法。
【請求項４】
前記化合物Ｂが、数平均分子量６００以上２，０００以下のポリエチレングリコールである請求項１乃至３のいずれか１項に記載のインクジェット記録方法。
【請求項５】
前記化合物Ｃのグリフィン法により求められるＨＬＢ値が、１２．０以上である請求項１乃至４のいずれか１項に記載のインクジェット記録方法。
【請求項６】
前記インク中の前記化合物Ａの含有量（質量％）が、前記顔料の含有量（質量％）に対する質量比率で、０．２０倍以上３．５０倍以下である請求項１乃至５のいずれか１項に記載のインクジェット記録方法。
【請求項７】
前記インク中の前記化合物Ｂの含有量（質量％）が、前記顔料の含有量（質量％）に対する質量比率で、３．００倍以下である請求項１乃至６のいずれか１項に記載のインクジェット記録方法。
【請求項８】
前記インク中の前記化合物Ｃの含有量（質量％）が、前記顔料の含有量（質量％）に対する質量比率で、０．０２倍以上０．５０倍以下である請求項１乃至７のいずれか１項に記載のインクジェット記録方法。
【請求項９】
前記顔料が、樹脂分散顔料であり、
前記エチレンオキサイド基を有する化合物が、前記化合物Ａ及び前記化合物Ｂの少なくとも一方である請求項１乃至８のいずれか１項に記載のインクジェット記録方法。
【請求項１０】
前記顔料が、自己分散顔料であり、
前記エチレンオキサイド基を有する化合物が、前記化合物Ｃである請求項１乃至９のいずれか１項に記載のインクジェット記録方法。
【請求項１１】
前記記録ヘッドが、複数の前記吐出口のそれぞれに対応する、複数の前記第１流路が１つの流入路に連通しているとともに、複数の前記第２流路が１つの流出路に連通している請求項１乃至１０のいずれか１項に記載のインクジェット記録方法。
【請求項１２】
前記流動工程において、前記吐出口から前記インクを排出することなく、前記インクを流動させる請求項１乃至１１のいずれか１項に記載のインクジェット記録方法。
【請求項１３】
さらに、前記流動工程における前記インクの流動を停止して前記記録ヘッドの回復動作を行う回復工程を有する請求項１乃至１２のいずれか１項に記載のインクジェット記録方法。
【請求項１４】
前記流動工程において、前記インクの吐出方向と交差する方向に前記インクを流動させる請求項１乃至１３のいずれか１項に記載のインクジェット記録方法。
【請求項１５】
前記流動工程において、前記吐出素子とは別の流動手段によって前記インクを流動させる請求項１乃至１４のいずれか１項に記載のインクジェット記録方法。
【請求項１６】
前記流動工程において、前記第１流路に連通する流入口と前記第２流路に連通する流出口との間の圧力差で前記インクを流動させる請求項１乃至１５のいずれか１項に記載のインクジェット記録方法。
【請求項１７】
前記圧力差で流動させる前記インクの流速が、０．１ｍｍ／ｓ以上１０．０ｍｍ／ｓ以下である請求項１６に記載のインクジェット記録方法。
【請求項１８】
前記流動工程において、前記インクを間欠的に流動させる請求項１乃至１５のいずれか１項に記載のインクジェット記録方法。
【請求項１９】
間欠的に流動させる前記インクの流速が、１．０ｍ／ｓ以上１０．０ｍ／ｓ以下である請求項１８に記載のインクジェット記録方法。
【請求項２０】
インクを吐出する吐出口と、前記インクを吐出するためのエネルギーを発生する吐出素子と、前記吐出口と前記吐出素子の間で連通してその内部に前記インクが流通する第１流路及び第２流路と、を具備する記録ヘッドを備えるインクジェット記録装置であって、
さらに、前記吐出素子とは別の、前記第１流路内の前記インクを前記第２流路へと流動させる流動手段を備え、
前記インクが、顔料、及びエチレンオキサイド基を有する化合物を含有する水性インクであり、
前記エチレンオキサイド基を有する化合物が、下記の、化合物Ａ、化合物Ｂ、及び化合物Ｃからなる群より選ばれる少なくとも１種であることを特徴とするインクジェット記録装置。
化合物Ａ：３価以上の多価アルコールにＸモルのエチレンオキサイド基及びＹモルのプロピレンオキサイド基が付加した、｛Ｘ／（Ｘ＋Ｙ）｝×１００（％）の値が５％以上４５％以下の多価アルコール誘導体
化合物Ｂ：数平均分子量６００以上４，０００以下のポリエチレングリコール（但し、前記インク中の前記化合物Ｂの含有量（質量％）は、前記顔料の含有量（質量％）に対する質量比率で、０．１０倍以上である）
化合物Ｃ：炭化水素基の炭素数が１２以上のポリオキシエチレンアルキルエーテル
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
インクを吐出するために利用されるエネルギーを発生する素子と、前記素子を内部に備える圧力室と、前記インクを吐出する吐出口とを有する記録素子基板を備え、前記圧力室内のインクが前記圧力室の外部との間で循環されるインクジェットヘッドにより、被吐出媒体上に前記インクを吐出してインク像を形成する工程と、
前記インク像に対して液吸収部材を接触させることにより、前記インク像から液体成分の少なくとも一部を除去する工程と、
を有するインクジェット記録方法であって、
前記インクは沸点が１１０℃以上の水溶性有機溶剤を５〜３０質量％含有し、
前記インク像から液体成分の少なくとも一部を除去する工程において、前記インク像に含まれる沸点が１１０℃以上の水溶性有機溶剤の内５０質量％以上が前記インク像から除去されることを特徴とするインクジェット記録方法。
【請求項２】
さらに、前記インク像をＴ℃に加熱する工程を有し、
前記インク像に含まれる前記水溶性有機溶剤の沸点はＴ℃よりも高い請求項１に記載のインクジェット記録方法。
【請求項３】
前記Ｔ℃が１００℃以上２００℃以下である請求項２に記載のインクジェット記録方法。
【請求項４】
前記水溶性有機溶剤の沸点が１１０℃以上２５０℃以下である請求項２または３に記載のインクジェット記録方法。
【請求項５】
前記液吸収部材が、前記インク像と接触する、フッ素化合物を含む多孔質体を有する請求項１から４のいずれか一項に記載のインクジェット記録方法。
【請求項６】
前記インクは水を含み、前記インク中における前記水の含有量が、前記インクの全質量を基準として、５０．０質量％以上９５．０質量％以下である請求項１から５のいずれか一項に記載のインクジェット記録方法。
【請求項７】
前記圧力室内のインクが、前記圧力室の上流の流路と前記圧力室の下流の流路とを介して、前記圧力室の外部との間で循環される請求項１から６のいずれか一項に記載のインクジェット記録方法。
【請求項８】
前記圧力室の上流に循環ポンプが配置されている請求項７に記載のインクジェット記録方法。
【請求項９】
前記圧力室の下流に負圧制御ユニットが配置されている請求項７または８に記載のインクジェット記録方法。
【請求項１０】
前記被吐出媒体が転写体であり、前記転写体に記録媒体を接触させて、液体成分除去後のインク像を前記記録媒体へ転写する工程をさらに含む請求項１から９のいずれか一項に記載のインクジェット記録方法。
【請求項１１】
前記被吐出媒体が記録媒体である請求項１から９のいずれか一項に記載のインクジェット記録方法。
【請求項１２】
被吐出媒体と、
インクを吐出するために利用されるエネルギーを発生する素子と、前記素子を内部に備える圧力室と、前記インクを吐出する吐出口とを有する記録素子基板を備え、前記圧力室内のインクが前記圧力室の外部との間で循環され、前記被吐出媒体上に前記インクを吐出してインク像を形成するインクジェットヘッドを有するインク付与装置と、
前記インク像との接触により前記インク像から液体成分の少なくとも一部を除去する液吸収部材を有する液吸収装置と、
を備えるインクジェット記録装置であって、
前記インクは沸点が１１０℃以上の水溶性有機溶剤を５〜３０質量％含有し、
前記液吸収部材が前記インク像と接触することにより、前記インク像に含まれる沸点が１１０℃以上の水溶性有機溶剤の内５０質量％以上が前記インク像から除去されることを特徴とするインクジェット記録装置。
【請求項１３】
さらに、前記インク像をＴ℃に加熱する加熱装置を備え、
前記インク像に含まれる前記水溶性有機溶剤の沸点はＴ℃よりも高い請求項１２に記載のインクジェット記録装置。
【請求項１４】
前記Ｔ℃が１００℃以上２００℃以下である請求項１３に記載のインクジェット記録装置。
【請求項１５】
前記水溶性有機溶剤の沸点が１１０℃以上２５０℃以下である請求項１３または１４に記載のインクジェット記録装置。
【請求項１６】
前記液吸収部材が、前記インク像と接触する、フッ素化合物を含む多孔質体を有する請求項１２から１５のいずれか一項に記載のインクジェット記録装置。
【請求項１７】
前記インクは水を含み、前記インク中における前記水の含有量が、前記インクの全質量を基準として、５０．０質量％以上９５．０質量％以下である請求項１２から１６のいずれか一項に記載のインクジェット記録装置。
【請求項１８】
前記圧力室内のインクが、前記圧力室の上流の流路と前記圧力室の下流の流路とを介して、前記圧力室の外部との間で循環される請求項１２から１７のいずれか一項に記載のインクジェット記録装置。
【請求項１９】
前記圧力室の上流に循環ポンプが配置されている請求項１８に記載のインクジェット記録装置。
【請求項２０】
前記圧力室の下流に負圧制御ユニットが配置されている請求項１８または１９に記載のインクジェット記録装置。
【請求項２１】
前記被吐出媒体が転写体であり、前記転写体に記録媒体を接触させて、液体成分除去後のインク像を前記記録媒体へ転写する転写用の押圧部材をさらに備える請求項１２から２０のいずれか一項に記載のインクジェット記録装置。
【請求項２２】
前記被吐出媒体が記録媒体である請求項１２から２０のいずれか一項に記載のインクジェット記録装置。
【手続補正書】
【提出日】令和3年10月7日(2021.10.7)
【手続補正１】
【補正対象書類名】特許請求の範囲
【補正対象項目名】全文
【補正方法】変更
【補正の内容】
【特許請求の範囲】
【請求項１】
圧縮機、膨張機及び室外熱交換機を有する室外機と、室内熱交換機を有する室内機とを有する空調設備において、
前記膨張機と前記室内熱交換機とを連結し、前記膨張機と前記室内熱交換機との間で熱交換媒体を流通させる第一の配管と、
前記圧縮機と前記室内熱交換機とを連結し、前記圧縮機と前記前記室内熱交換機との間で前記熱交換媒体を流通させる第二の配管と、
前記室内熱交換機とは別に室内に設けられた第二の室内熱交換機と、
を有し、
前記第二の室内熱交換機と前記膨脹機とを前記第一の配管から分岐する第一の分岐管で連結し、
前記第二の室内熱交換機と前記圧縮機とを前記第二の配管から分岐する第二の分岐管で連結し、
前記第一の分岐管又は前記第二の分岐管を切り替えて、前記膨脹機又は前記圧縮機のいずれか一方から前記熱交換媒体を前記第二の室内熱交換機に供給する切替弁を設け、
前記熱交換媒体の少なくとも一部が前記膨脹機又は前記圧縮機から前記第二の室内熱交換機に供給されるようにし、
前記第二の室内熱交換機から送出された前記熱交換媒体を前記膨張機又は前記圧縮機に戻すようにしたこと、
を特徴とする空調設備。
【請求項２】
一端が前記第一の分岐管及び前記第二の分岐管に連結され、他端が前記第二の室内交換機に連結された第三の配管と、
前記第一の分岐管又は前記第二の分岐管を切り替えて、前記膨脹機又は前記圧縮機のいずれか一方から前記第三の配管を経て前記熱交換媒体を前記第二の室内熱交換機に供給する前記切替弁と、
前記第二の室内熱交換機と前記圧縮機とを連結し、前記第二の室内交換機から送出された熱交換後の前記前記熱交換媒体を前記圧縮機に送出する第四の配管と、
前記第二の室内熱交換機と前記膨脹機とを連結し、前記第二の室内交換機から送出された熱交換後の前記前記熱交換媒体を前記膨脹機に送出する第五の配管と、
前記第四の配管及び／又は前記第五の配管に設けられ、前記第二の室内交換機から送出された熱交換後の前記前記熱交換媒体を前記圧縮機及び前記膨脹機に分配する流量調整弁と、
を有することを特徴とする請求項１に記載の空調設備。
【請求項３】
前記第二の室内交換機が加湿器又は除湿器であることを特徴とする請求項１又は２に記載の空調設備。
【請求項４】
前記切替弁が、前記熱交換媒体の流量を調整する流量調整機能を備えることを特徴とする請求項２に記載の空調設備。
【請求項５】
前記第五の配管と前記第一の配管及び／又は前記第二の配管とを連結する第六の配管を設けるとともに、前記第六の配管への管路の切替及び前記熱交換媒体の流量を調整する流量調整弁を設けたことを特徴とする請求項４又は５に記載の空調設備。
【請求項６】
前記室外機の排水を前記第二の室内熱交換機に供給する第七の配管を設けたことを特徴とする請求項１〜５のいずれかに記載の空調設備。
【手続補正２】
【補正対象書類名】明細書
【補正対象項目名】０００６
【補正方法】変更
【補正の内容】
【０００６】
上記の課題を解決するために、本発明の空調設備は、縮機、膨張機及び室外熱交換機を有する室外機と、室内熱交換機を有する室内機とを有する空調設備において、前記膨張機と前記室内熱交換機とを連結し、前記膨張機と前記室内熱交換機との間で熱交換媒体を流通させる第一の配管と、前記圧縮機と前記室内熱交換機とを連結し、前記圧縮機と前記前記室内熱交換機との間で前記熱交換媒体を流通させる第二の配管と、前記室内熱交換機とは別に室内に設けられた第二の室内熱交換機と、を有し、前記第二の室内熱交換機と前記膨脹機とを前記第一の配管から分岐する第一の分岐管で連結し、前記第二の室内熱交換機と前記圧縮機とを前記第二の配管から分岐する第二の分岐管で連結し、前記第一の分岐管又は前記第二の分岐管を切り替えて、前記膨脹機又は前記圧縮機のいずれか一方から前記熱交換媒体を前記第二の室内熱交換機に供給する切替弁を設け、前記熱交換媒体の少なくとも一部が前記膨脹機又は前記圧縮機から前記第二の室内熱交換機に供給されるようにし、前記第二の室内熱交換機から送出された前記熱交換媒体を前記膨張機又は前記圧縮機に戻すように構成してある。
【手続補正３】
【補正対象書類名】明細書
【補正対象項目名】０００８
【補正方法】変更
【補正の内容】
【０００８】
そこで本発明の別の空調設備は、一端が前記第一の分岐管及び前記第二の分岐管に連結され、他端が前記第二の室内交換機に連結された第三の配管と、前記第一の分岐管又は前記第二の分岐管を切り替えて、前記膨脹機又は前記圧縮機のいずれか一方から前記第三の配管を経て前記熱交換媒体を前記第二の室内熱交換機に供給する前記切替弁と、前記第二の室内熱交換機と前記圧縮機とを連結し、前記第二の室内交換機から送出された熱交換後の前記前記熱交換媒体を前記圧縮機に送出する第四の配管と、前記第二の室内熱交換機と前記膨脹機とを連結し、前記第二の室内交換機から送出された熱交換後の前記前記熱交換媒体を前記膨脹機に送出する第五の配管と、前記第四の配管及び／又は前記第五の配管に設けられ、前記第二の室内交換機から送出された熱交換後の前記前記熱交換媒体を前記圧縮機及び前記膨脹機に分配する流量調整弁と、を有する構成としてある。
【手続補正書】
【提出日】令和3年11月9日(2021.11.9)
【手続補正１】
【補正対象書類名】明細書
【補正対象項目名】００２２
【補正方法】変更
【補正の内容】
【００２２】
柱状ハニカム成形体（２００）において、複数のセル（２０８ａ、２０８ｂ）は、外周側壁（２０２）の内側に配設され、第一底面（２０４）から第二底面（２０６）まで延び、第一底面（２０４）が開口して第二底面（２０６）に目封止部（２０９）を有する複数の第１セル（２０８ａ）と、外周側壁（２０２）の内側に配設され、第一底面（２０４）から第二底面（２０６）まで延び、第一底面（２０４）に目封止部（２０９）を有し、第二底面（２０６）が開口する複数の第２セル（２０８ｂ）に分類することができる。そして、この柱状ハニカム成形体（２００）においては、第１セル（２０８ａ）及び第２セル（２０８ｂ）が隔壁（２１２）を挟んで交互に隣接配置されている。
【手続補正２】
【補正対象書類名】明細書
【補正対象項目名】００５９
【補正方法】変更
【補正の内容】
【００５９】
決定係数（Ｒ2）は、回帰式の精度の尺度を表すパラメータであり、０〜１までの値を取る。柱状ハニカム成形体の強度と異常セルの数について、実測データから回帰式を求めたときの決定係数が１に近いほど、両者は高い相関関係にあるといえ、異常セルの数から強度を高精度で推定することができる。
【手続補正３】
【補正対象書類名】明細書
【補正対象項目名】００６６
【補正方法】変更
【補正の内容】
【００６６】
画像解析は、一実施形態において、カメラによって撮像された柱状ハニカム成形体の第一底面又は第二底面の少なくとも一方の画像を画像処理する工程と、画像処理する工程により得られた第一底面又は第二底面の少なくとも一方の画像に基づき、第一底面又は第二底面の少なくとも一方が有する複数のセルの開口の大きさを測定する工程と、当該開口の大きさを測定する工程の測定結果に基づき、予め定めた許容範囲から逸脱する大きさの開口をもつ異常セルを前記複数のセルの中から特定し、異常セルの数を計測する工程を実施する。
【手続補正４】
【補正対象書類名】明細書
【補正対象項目名】００７５
【補正方法】変更
【補正の内容】
【００７５】
品質検査による合否判定は、異常セルの数又は推定された前記強度に基づき検査者が行ってもよいが、画像解析装置（３００）に行わせることも可能である。この場合、データ記憶部（３０１）には、許容異常セル数、及び／又は、焼成後の柱状ハニカム成形体に要求される強度に関する情報が保存されている。演算部（３０４）は、当該情報に基づいて、計測された異常セルの数を許容異常セル数と比較して合否を判定したり、推定された前記強度を焼成後の柱状ハニカム成形体に要求される強度と比較して合否を判定したりすることができる。合否判定の結果が表示部（３０２）に表示されるように画像解析装置（３００）を構成することも可能である。
【手続補正書】
【提出日】令和3年10月14日(2021.10.14)
【手続補正１】
【補正対象書類名】特許請求の範囲
【補正対象項目名】全文
【補正方法】変更
【補正の内容】
【特許請求の範囲】
【請求項１】
サンプルの自家蛍光の信号分析のためのフローサイトメトリ方法であって、
装置であって、
フローセルを流れる粒子のコア流を流体力学的に集束し、
励起光路において、光源からのパルス光エネルギービームを生成し、
前記粒子が前記フローセル内のインタロゲーション領域を通過する際に、前記粒子を繰り返しかつ光学的にインタロゲートし、及び、
前記ビームと前記粒子との間の相互作用から生じる複数の異なる波長部分を有する光信号を検出する、
ように構成された前記装置を提供し、
信号処理モジュールによって実行可能な寿命分析アルゴリズムであって、
前記光信号を、対応する電気信号であって、パルス信号の強度の経時的変化を表す複数の前記電気信号に変換し、
各電気信号をデジタル信号に変換し、各デジタル信号が複数のパルス信号セグメントを含み、各パルス信号セグメントが複数のデジタル要素を含み、前記複数のパルス信号セグメントの各々の前記複数のデジタル要素の数は、前記複数のパルス信号セグメント間で実質的に同じであり、
全てのパルス信号セグメントの各デジタル要素に各パルス信号セグメント内で時間順にインデックス番号を割り当て、
インデックス番号ごとに、各デジタル要素における全ての前記パルス信号セグメントの対応する前記デジタル要素の強度を合計することにより、スーパーカーブを生成し、
前記スーパーカーブを連続する寿命成分に分割し、各寿命成分は対応する時定数の値に反比例する傾きを有し、
各寿命成分の相対的寄与度を決定し、
各寿命成分の前記相対的寄与度の前記決定に基づいて、いずれの寿命成分が自家蛍光に由来するかを決定し、
前記自家蛍光に由来すると決定された前記寿命成分と相関する粒子を鑑別する、
ように構成された前記寿命分析アルゴリズムを提供する、
方法。
【請求項２】
前記装置は、前記コア流から１つ又は複数の粒子を選別するようにさらに構成された、請求項１に記載の方法。
【請求項３】
前記装置は、前記１つ又は複数の粒子を選別するために、前記流路に少なくとも1つの流れの進路変更を生じさせるようにさらに構成された、請求項２に記載の方法。
【請求項４】
分割することが、前記スーパーカーブに１つ以上のニーポイントがあるかどうかを決定することをさらに含み、前記ニーポイントは、前記スーパーカーブの前記傾きが実質的に変化している部分である、請求項１に記載の方法。
【請求項５】
前記寿命分析アルゴリズムが、各ブランチの時定数を計算するようにさらに構成されている、請求項４に記載の方法。
【請求項６】
前記寿命分析アルゴリズムが、前記ニーポイントに基づいて、各ブランチに対応する各寿命成分の縦座標の値を特定するように構成された、請求項５に記載の方法。
【請求項７】
各寿命成分の前記相対的寄与度を決定することが、少なくとも部分的に、較正ルックアップテーブルと前記縦座標の値に基づいて、各寿命成分の前記相対的寄与度を決定することを含む、請求項６に記載の方法。
【請求項８】
各寿命成分の前記相対的寄与度を決定することが、前記スーパーカーブの各寿命成分を、所定の時定数の離散的なビンに割り当てることを含む、請求項１に記載の方法。
【請求項９】
ビンの任意のペアについて、各ビン内の所定の時定数の最大変動が、当該ビン内の所定の時定数の平均と、当該ペアの他のビン内の所定の時定数の平均との間の差よりも小さい、請求項８に記載の方法。
【請求項１０】
各ビンが、寿命成分の比較的似たグループを表している、請求項８に記載の方法。
【請求項１１】
サンプルの自家蛍光の信号分析のための方法であって、
装置であって、
励起光路において、光源からのパルス光エネルギービームを生成し、
１つ以上の粒子を繰り返しかつ光学的にインタロゲートし、及び、
前記ビームと前記１つ以上の粒子との間の相互作用から生じる複数の異なる波長部分を有する光信号を検出する、
ように構成された装置を提供し、
信号処理モジュールによって実行可能な寿命分析アルゴリズムであって、
前記光信号を、対応する電気信号であって、パルス信号の強度の経時的変化を表す複数の前記電気信号に変換し、
各電気信号をデジタル信号に変換し、各デジタル信号が複数のパルス信号セグメントを含み、各パルス信号セグメントが複数のデジタル要素を含み、前記複数のパルス信号セグメントの各々の前記複数のデジタル要素の数は、前記複数のパルス信号セグメント間で実質的に同じであり、
全てのパルス信号セグメントの各デジタル要素に各パルス信号セグメント内で時間順にインデックス番号を割り当て、
インデックス番号ごとに、各デジタル要素における全ての前記パルス信号セグメントの対応する前記デジタル要素の強度を合計することにより、スーパーカーブを生成し、
前記スーパーカーブを連続する寿命成分に分割し、各寿命成分は対応する時定数の値に反比例する傾きを有し、
各寿命成分の相対的寄与度を決定し、
各寿命成分の前記相対的寄与度の前記決定に基づいて、いずれの寿命成分が自家蛍光に由来するかを決定し、
前記自家蛍光に由来すると決定された前記寿命成分と相関があることがわかっている粒子を鑑別する、
ように構成された前記寿命分析アルゴリズムを提供する、
方法。
【請求項１２】
前記装置は、前記コア流から１つ又は複数の粒子を選別するようにさらに構成された、請求項１１に記載の方法。
【請求項１３】
前記装置は、前記１つ又は複数の粒子を選別するために、前記流路に少なくとも1つの流れの進路変更を生じさせるようにさらに構成された、請求項１２に記載の方法。
【請求項１４】
分割することが、前記スーパーカーブに１つ以上のニーポイントがあるかどうかを決定することをさらに含み、前記ニーポイントは、前記スーパーカーブの前記傾きが実質的に変化している部分である、請求項１１に記載の方法。
【請求項１５】
前記寿命分析アルゴリズムが、各ブランチの時定数を計算するようにさらに構成されている、請求項１４に記載の方法。
【請求項１６】
前記寿命分析アルゴリズムが、前記ニーポイントに基づいて、各ブランチに対応する各寿命成分の縦座標の値を特定するように構成された、請求項１５に記載の方法。
【請求項１７】
各寿命成分の前記相対的寄与度を決定することが、少なくとも部分的に、較正ルックアップテーブルと前記縦座標の値に基づいて、各寿命成分の前記相対的寄与度を決定することを含む、請求項１６に記載の方法。
【請求項１８】
各寿命成分の前記相対的寄与度を決定することが、前記スーパーカーブの各寿命成分を、所定の時定数の離散的なビンに割り当てることを含む、請求項１１に記載の方法。
【請求項１９】
ビンの任意のペアについて、各ビン内の所定の時定数の最大変動が、当該ビン内の所定の時定数の平均と、当該ペアの他のビン内の所定の時定数の平均との間の差よりも小さい、請求項１８に記載の方法。
【請求項２０】
各ビンが、寿命成分の比較的似たグループを表している、請求項１８に記載の方法。
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
所定の当たり判定処理により当たりである場合に、遊技者にとって有利さが異なる複数の当たりのうち当たりの種別を決定可能な遊技制御手段と、
演出を制御可能な演出制御手段と、を備える遊技機において、
前記演出制御手段は、
演出図柄を変動表示を経て停止表示させる変動演出を実行可能であり、
所定のストック画像を表示することが可能なストック演出を実行可能であり、
前記当たり判定処理により当たりである場合に、前記演出図柄を当該当たりであることを示唆する当たり態様で示すことが可能であり、
前記演出分岐時点で前記演出図柄の当たり態様として、所定の第１当たり態様を示す場合と、前記第１当たり態様よりも遊技者に有利な当たりの種別であることを示唆する第２当たり態様を示す場合と、があり、
前記演出分岐時点で前記演出図柄が第１当たり態様で示された後に、表示されている前記ストック画像を非表示にすることに基づいて、前記演出図柄を第２当たり態様で示すことを特徴とする遊技機。
【請求項２】
請求項１に記載の遊技機において、
前記演出制御手段は、
前記ストック演出の実行の有無を抽選で決定するストック演出抽選処理を実行した後に、前記演出図柄の表示態様を抽選で決定する演出図柄抽選処理を実行し、
前記当たり判定処理により当たりであると判定されると共に、当たりの種別が所定の第１当たりよりも遊技者に有利な第２当たりであると決定されて、且つ前記ストック演出抽選処理により前記ストック演出の実行を決定した場合には、前記演出図柄抽選処理により前記演出分岐時点で示す前記演出図柄の第１当たり態様と、前記ストック画像の非表示に基づいて示される前記演出図柄の第２当たり態様とを決定することを特徴とする遊技機。
【手続補正２】
【補正対象書類名】明細書
【補正対象項目名】０００６
【補正方法】変更
【補正の内容】
【０００６】
本発明の遊技機は、
所定の当たり判定処理により当たりである場合に、遊技者にとって有利さが異なる複数の当たりのうち当たりの種別を決定可能な遊技制御手段と、
演出を制御可能な演出制御手段と、を備える遊技機において、
前記演出制御手段は、
演出図柄を変動表示を経て停止表示させる変動演出を実行可能であり、
所定のストック画像を表示することが可能なストック演出を実行可能であり、
前記当たり判定処理により当たりである場合に、前記演出図柄を当該当たりであることを示唆する当たり態様で示すことが可能であり、
前記演出分岐時点で前記演出図柄の当たり態様として、所定の第１当たり態様を示す場合と、前記第１当たり態様よりも遊技者に有利な当たりの種別であることを示唆する第２当たり態様を示す場合と、があり、
前記演出分岐時点で前記演出図柄が第１当たり態様で示された後に、表示されている前記ストック画像を非表示にすることに基づいて、前記演出図柄を第２当たり態様で示すことを特徴とする遊技機である。
【手続補正書】
【提出日】令和3年8月26日(2021.8.26)
【手続補正１】
【補正対象書類名】特許請求の範囲
【補正対象項目名】全文
【補正方法】変更
【補正の内容】
【特許請求の範囲】
【請求項１】
演出を制御可能な演出制御手段を備える遊技機において、
前記演出制御手段は、
所定のストック画像を表示することが可能なストック演出を実行可能であり、
所定の演出分岐時点で所定の第１態様を示して第１演出に移行させる場合と、前記演出分岐時点で所定の第２態様を示して第２演出に移行させる場合と、があり、
前記演出分岐時点で前記第１態様が示された後に、表示されている前記ストック画像を非表示にすることに基づいて、前記第２演出に移行させることを特徴とする遊技機。
【手続補正２】
【補正対象書類名】明細書
【補正対象項目名】０００６
【補正方法】変更
【補正の内容】
【０００６】
本発明の遊技機は、
演出を制御可能な演出制御手段を備える遊技機において、
前記演出制御手段は、
所定のストック画像を表示することが可能なストック演出を実行可能であり、
所定の演出分岐時点で所定の第１態様を示して第１演出に移行させる場合と、前記演出分岐時点で所定の第２態様を示して第２演出に移行させる場合と、があり、
前記演出分岐時点で前記第１態様が示された後に、表示されている前記ストック画像を非表示にすることに基づいて、前記第２演出に移行させることを特徴とする遊技機である。
【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
演出を制御可能な演出制御手段を備える遊技機において、
前記演出制御手段は、
１段階から所定段階までの予告ステップから構成されていて、それぞれの予告ステップで関連する画像を表示するステップアップ予告演出を実行可能であり、
前記ステップアップ予告演出における少なくとも一つの予告ステップで成功態様又は失敗態様を示す成否演出を実行可能であり、
前記成否演出により成功態様を示す場合には当選期待度が高くなることを示唆しつつ次の予告ステップに進む一方、前記成否演出により失敗態様を示す場合でも前記成功態様を示すことなく次の予告ステップに進むことを特徴とする遊技機。
【請求項２】
請求項１に記載の遊技機において、
前記演出制御手段は、
ノーマルリーチよりも当選期待度が高いことを示唆する高期待度演出を実行可能であり、
前記高期待度演出として、弱高期待度演出又は前記弱高期待度演出よりも当選期待度が高いことを示唆する強高期待度演出を実行可能であり、
前記ステップアップ予告演出を実行する場合には、前記強高期待度演出を実行する一方、前記弱高期待度演出を実行することがないことを特徴とする遊技機。
【手続補正２】
【補正対象書類名】明細書
【補正対象項目名】０００６
【補正方法】変更
【補正の内容】
【０００６】
本発明の遊技機は、
演出を制御可能な演出制御手段を備える遊技機において、
前記演出制御手段は、
１段階から所定段階までの予告ステップから構成されていて、それぞれの予告ステップで関連する画像を表示するステップアップ予告演出を実行可能であり、
前記ステップアップ予告演出における少なくとも一つの予告ステップで成功態様又は失敗態様を示す成否演出を実行可能であり、
前記成否演出により成功態様を示す場合には当選期待度が高くなることを示唆しつつ次の予告ステップに進む一方、前記成否演出により失敗態様を示す場合でも前記成功態様を示すことなく次の予告ステップに進むことを特徴とする遊技機である。
【手続補正書】
【提出日】令和3年8月25日(2021.8.25)
【手続補正１】
【補正対象書類名】特許請求の範囲
【補正対象項目名】全文
【補正方法】変更
【補正の内容】
【特許請求の範囲】
【請求項１】
遊技者に有利な特別遊技状態にするか否かの判定を行う判定手段と、
演出を実行可能な演出実行手段と、を備え、
前記演出実行手段は、
前記判定の結果に基づいて、複数の演出図柄を変動表示させた後、前記判定の結果を示す停止態様で停止表示させることが可能であるとともに、
前記演出図柄の変動表示を行う場合に、少なくとも１つの演出分岐点を有する第１予告演出を実行することが可能であり、
前記第１予告演出は、
前記演出分岐点において基本ルートに分岐した場合、前記演出図柄がリーチになる期待度を示唆する基本予告演出として機能し得て、
前記演出分岐点において前記基本ルートとは異なる特殊ルートに分岐した場合、前記基本予告演出とは異なる役割の特殊演出として機能し得ることを特徴とする遊技機。
【請求項２】
請求項１に記載の遊技機であって、
前記演出実行手段は、前記第１予告演出とは異なる第２予告演出を実行することが可能であり、
前記特殊演出は、前記第２予告演出と同じ役割の演出として機能することを特徴とする遊技機。
【請求項３】
請求項１に記載の遊技機であって、
前記演出実行手段は、前記第１予告演出とは異なる第２予告演出を実行することが可能であり、
前記特殊演出は、前記基本予告演出として機能するとともに、前記第２予告演出と同じ役割の演出として機能することを特徴とする遊技機。
【請求項４】
請求項２または請求項３に記載の遊技機であって、
前記第２予告演出は、前記特別遊技状態になる可能性が高いことを示唆する演出であり、
前記特殊演出には、所定の課題を達成する成功態様と、前記課題を達成しない失敗態様とがあり、
前記特殊演出は、前記成功態様である場合に、前記第２予告演出と同じ役割の演出として機能することを特徴とする遊技機。
【請求項５】
請求項１から請求項４までのいずれかに記載の遊技機であって、
前記第１予告演出には、複数の演出分岐点があり、
前記第１予告演出は、
第１の演出分岐点において第１の特殊ルートに分岐した場合には、前記特殊演出として機能し得て、
第２の演出分岐点において第２の特殊ルートに分岐した場合には、前記特殊演出とも前記基本予告演出とも異なる役割の他の特殊演出として機能し得ることを特徴とする遊技機。
【手続補正２】
【補正対象書類名】明細書
【補正対象項目名】０００６
【補正方法】変更
【補正の内容】
【０００６】
本発明の遊技機は、
遊技者に有利な特別遊技状態にするか否かの判定を行う判定手段と、
演出を実行可能な演出実行手段と、を備え、
前記演出実行手段は、
前記判定の結果に基づいて、複数の演出図柄を変動表示させた後、前記判定の結果を示す停止態様で停止表示させることが可能であるとともに、
前記演出図柄の変動表示を行う場合に、少なくとも１つの演出分岐点を有する第１予告演出を実行することが可能であり、
前記第１予告演出は、
前記演出分岐点において基本ルートに分岐した場合、前記演出図柄がリーチになる期待度を示唆する基本予告演出として機能し得て、
前記演出分岐点において前記基本ルートとは異なる特殊ルートに分岐した場合、前記基本予告演出とは異なる役割の特殊演出として機能し得ることを特徴とする遊技機である。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
ベース部材と、
駆動源の動力により動作して所定の可動演出を行う演出ユニットと、
を備え、
前記演出ユニットは、
前記駆動源の動力が伝達されて所定の回動軸を中心として回動する第一部材と、
前記第一部材に対して変位可能に設けられるとともに、前記ベース部材に設けられたガイド部に係合する第二部材と、
を有し、
前記ガイド部は、前記回動軸からの距離が一定ではない非直線形状かつ非円形状を呈する部分を含み、
前記駆動源の動力が伝達されることにより前記第一部材が回動するとき、前記第二部材が前記第一部材に対して変位することで、当該第二部材が前記ガイド部に係合する状態が維持されることを特徴とする遊技機。
【手続補正書】
【提出日】令和3年4月27日(2021.4.27)
【手続補正１】
【補正対象書類名】特許請求の範囲
【補正対象項目名】全文
【補正方法】変更
【補正の内容】
【特許請求の範囲】
【請求項１】
遊技領域に夫々設けられ、該遊技領域に発射された遊技球を入球可能な第一始動口および第二始動口と、
前記遊技領域に設けられ、該遊技領域に発射された遊技球を入球可能な開放状態と入球不能な閉鎖状態とに変換される大入賞口と、
第一特別図柄を変動表示する第一特別図柄表示装置と、
第二特別図柄を変動表示する第二特別図柄表示装置と、
前記第一始動口と第二始動口とへの遊技球の入球に起因して、所定の乱数を抽出する乱数抽出手段と、
該乱数抽出手段により抽出した乱数に基づいて、大当り、小当り、又はハズレを判定する当否判定手段と、
第一始動口の入球を契機として、前記第一特別図柄表示装置の第一特別図柄を変動開始し、所定変動時間の経過後に、前記当否判定手段による判定結果を示す図柄態様で停止表示させる第一特別図柄制御手段と、
第二始動口の入球を契機として、前記第二特別図柄表示装置の第二特別図柄を変動開始し、所定変動時間の経過後に、前記当否判定手段による判定結果を示す図柄態様で停止表示させる第二特別図柄制御手段と、
前記当否判定手段で大当り判定した場合に、前記第一特別図柄の変動停止または第二特別図柄の変動停止に基づいて、前記大入賞口を開放する開放ラウンドを複数回繰り返す大当り遊技を実行する大当り遊技制御手段と、
前記当否判定手段で小当り判定した場合に、前記第一特別図柄の変動停止または第二特別図柄の変動停止に基づいて、前記大入賞口を、前記大当り遊技による開放ラウンドの総開放時間よりも短い時間で開放させる小当り遊技を実行する小当り遊技制御手段と、
前記大当り遊技の終了後に、通常の遊技状態に比して遊技者の獲得可能な利益が高い複数の高利得遊技状態のいずれかに移行させる遊技状態移行手段と
を備え、前記第一特別図柄と第二特別図柄とを同時並行して変動可能である弾球遊技機において、
前記当否判定手段は、第二始動口への入球により抽出した乱数を判定する場合に、ハズレ判定する確率よりも高く定めた小当り確率によって小当りか否かを判定する判定処理内容を備え、
前記第二特別図柄制御手段は、第二特別図柄の平均変動時間を、第一特別図柄の平均変動時間よりも長くする長変動制御内容と、特定の高利得遊技状態における第二特別図柄の平均変動時間を、第一特別図柄の平均変動時間以下とする短変動制御内容とを備え、
また、大当り遊技の開始から終了までの大当り遊技状態と前記特定の高利得遊技状態とが連続する連続有利期間に亘って、一連の特典演出画像を表示する特典演出制御手段を備えているものであり、
遊技状態移行手段は、前記特定の高利得遊技状態を介して実行される大当り遊技の連続回数が、予め定められた連続上限値に達すると、大当り遊技の終了後に該特定の高利得遊技状態を除く他の高利得遊技状態へ移行させる処理内容を備えてなり、
特典演出制御手段が一連の特典演出画像を表示する連続有利期間が、前記特定の高利得遊技状態を除く他の遊技状態へ移行する大当り遊技後の他の高利得遊技状態の終了に伴って、期間終了するものであることを特徴とする弾球遊技機。
【手続補正２】
【補正対象書類名】明細書
【補正対象項目名】０００７
【補正方法】変更
【補正の内容】
【０００７】
本発明は、遊技領域に夫々設けられ、遊技領域に夫々設けられ、該遊技領域に発射された遊技球を入球可能な第一始動口および第二始動口と、前記遊技領域に設けられ、該遊技領域に発射された遊技球を入球可能な開放状態と入球不能な閉鎖状態とに変換される大入賞口と、第一特別図柄を変動表示する第一特別図柄表示装置と、第二特別図柄を変動表示する第二特別図柄表示装置と、前記第一始動口と第二始動口とへの遊技球の入球に起因して、所定の乱数を抽出する乱数抽出手段と、該乱数抽出手段により抽出した乱数に基づいて、大当り、小当り、又はハズレを判定する当否判定手段と、第一始動口の入球を契機として、前記第一特別図柄表示装置の第一特別図柄を変動開始し、所定変動時間の経過後に、前記当否判定手段による判定結果を示す図柄態様で停止表示させる第一特別図柄制御手段と、第二始動口の入球を契機として、前記第二特別図柄表示装置の第二特別図柄を変動開始し、所定変動時間の経過後に、前記当否判定手段による判定結果を示す図柄態様で停止表示させる第二特別図柄制御手段と、前記当否判定手段で大当り判定した場合に、前記第一特別図柄の変動停止または第二特別図柄の変動停止に基づいて、前記大入賞口を開放する開放ラウンドを複数回繰り返す大当り遊技を実行する大当り遊技制御手段と、前記当否判定手段で小当り判定した場合に、前記第一特別図柄の変動停止または第二特別図柄の変動停止に基づいて、前記大入賞口を、前記大当り遊技による開放ラウンドの総開放時間よりも短い時間で開放させる小当り遊技を実行する小当り遊技制御手段と、前記大当り遊技の終了後に、通常の遊技状態に比して遊技者の獲得可能な利益が高い複数の高利得遊技状態のいずれかに移行させる遊技状態移行手段とを備え、前記第一特別図柄と第二特別図柄とを同時並行して変動可能である弾球遊技機において、前記当否判定手段は、第二始動口への入球により抽出した乱数を判定する場合に、ハズレ判定する確率よりも高く定めた小当り確率によって小当りか否かを判定する判定処理内容を備え、前記第二特別図柄制御手段は、第二特別図柄の平均変動時間を、第一特別図柄の平均変動時間よりも長くする長変動制御内容と、特定の高利得遊技状態における第二特別図柄の平均変動時間を、第一特別図柄の平均変動時間以下とする短変動制御内容とを備え、また、大当り遊技の開始から終了までの大当り遊技状態と前記特定の高利得遊技状態とが連続する連続有利期間に亘って、一連の特典演出画像を表示する特典演出制御手段を備えているものであり、遊技状態移行手段は、前記特定の高利得遊技状態を介して実行される大当り遊技の連続回数が、予め定められた連続上限値に達すると、大当り遊技の終了後に該特定の高利得遊技状態を除く他の高利得遊技状態へ移行させる処理内容を備えてなり、特典演出制御手段が一連の特典演出画像を表示する連続有利期間が、前記特定の高利得遊技状態を除く他の遊技状態へ移行する大当り遊技後の他の高利得遊技状態の終了に伴って、期間終了するものであることを特徴とする弾球遊技機である。
【手続補正書】
【提出日】令和3年4月27日(2021.4.27)
【手続補正１】
【補正対象書類名】特許請求の範囲
【補正対象項目名】全文
【補正方法】変更
【補正の内容】
【特許請求の範囲】
【請求項１】
所定力未満の発射威力で発射された遊技球が流下する可能性が高い第一遊技領域と、前記所定力以上の発射威力で発射された遊技球が流下する可能性が高い第二遊技領域とを有する弾球遊技機であって、
前記第一遊技領域を流下する遊技球が入球可能な位置に設けられた第一始動口と、前記第二遊技領域を流下する遊技球が入球可能な位置に設けられた第二始動口と、
前記第二遊技領域に設けられ、該第二遊技領域に発射された遊技球を入球可能な開放状態と入球不能な閉鎖状態とに変換される大入賞口と、
第一特別図柄を変動表示する第一特別図柄表示装置と、
第二特別図柄を変動表示する第二特別図柄表示装置と、
前記第一始動口と第二始動口とへの遊技球の入球に起因して、所定の乱数を抽出する乱数抽出手段と、
該乱数抽出手段により抽出した乱数に基づいて、大当り、小当り、又はハズレを判定する当否判定手段と、
第一始動口の入球を契機として、前記第一特別図柄表示装置の第一特別図柄を変動開始し、所定変動時間の経過後に、前記当否判定手段による判定結果を示す図柄態様で停止表示させる第一特別図柄制御手段と、
第二始動口の入球を契機として、前記第二特別図柄表示装置の第二特別図柄を変動開始し、所定変動時間の経過後に、前記当否判定手段による判定結果を示す図柄態様で停止表示させる第二特別図柄制御手段と、
前記当否判定手段で大当り判定した場合に、前記第一特別図柄の変動停止または第二特別図柄の変動停止に基づいて、前記大入賞口を開放する開放ラウンドを複数回繰り返す大当り遊技を実行する大当り遊技制御手段と、
前記当否判定手段で小当り判定した場合に、前記第一特別図柄の変動停止または第二特別図柄の変動停止に基づいて、前記大入賞口を、前記大当り遊技による開放ラウンドの総開放時間よりも短い時間で開放させる小当り遊技を実行する小当り遊技制御手段と、
前記大当り遊技の終了後に、通常の遊技状態と、該通常の遊技状態に比して遊技者の獲得可能な利益が高い複数の高利得遊技状態とのいずれかに選択的に移行させる遊技状態移行手段と
を備え、前記第一特別図柄と第二特別図柄とを同時並行して変動可能である弾球遊技機において、
前記当否判定手段は、第二始動口への入球により抽出した乱数を判定する場合に、ハズレ判定する確率よりも高く定めた小当り確率によって小当りか否かを判定する判定処理内容を備え、
前記第二特別図柄制御手段は、第二特別図柄の平均変動時間を、第一特別図柄の平均変動時間よりも長くする長変動制御内容と、特定の高利得遊技状態における第二特別図柄の平均変動時間を、第一特別図柄の平均変動時間以下とする短変動制御内容とを備え、
また、大当り遊技の開始から終了までの大当り遊技状態と前記特定の高利得遊技状態とが連続する連続有利期間に亘って、一連の特典演出画像を表示する特典演出制御手段を備えているものであり、
さらに、前記特定の高利得遊技状態は、当否判定手段における大当り当選確率を通常の遊技状態に比して高くし、かつ他の高利得遊技状態に比して、大当り遊技の連続回数を少なくしたものであって、
遊技状態移行手段は、前記特定の高利得遊技状態を介して実行される大当り遊技の連続回数が、予め定められた連続上限値に達すると、大当り遊技の終了後に該特定の高利得遊技状態を除く他の遊技状態へ移行させる処理内容を備えてなり、
特典演出制御手段が一連の特典演出画像を表示する連続有利期間が、前記特定の高利得遊技状態を除く他の遊技状態へ移行する大当り遊技の終了に伴って、期間終了するものであることを特徴とする弾球遊技機。
【手続補正２】
【補正対象書類名】明細書
【補正対象項目名】０００７
【補正方法】変更
【補正の内容】
【０００７】
本発明は、所定力未満の発射威力で発射された遊技球が流下する可能性が高い第一遊技領域と、前記所定力以上の発射威力で発射された遊技球が流下する可能性が高い第二遊技領域とを有する弾球遊技機であって、前記第一遊技領域を流下する遊技球が入球可能な位置に設けられた第一始動口と、前記第二遊技領域を流下する遊技球が入球可能な位置に設けられた第二始動口と、前記第二遊技領域に設けられ、該第二遊技領域に発射された遊技球を入球可能な開放状態と入球不能な閉鎖状態とに変換される大入賞口と、第一特別図柄を変動表示する第一特別図柄表示装置と、第二特別図柄を変動表示する第二特別図柄表示装置と、前記第一始動口と第二始動口とへの遊技球の入球に起因して、所定の乱数を抽出する乱数抽出手段と、該乱数抽出手段により抽出した乱数に基づいて、大当り、小当り、又はハズレを判定する当否判定手段と、第一始動口の入球を契機として、前記第一特別図柄表示装置の第一特別図柄を変動開始し、所定変動時間の経過後に、前記当否判定手段による判定結果を示す図柄態様で停止表示させる第一特別図柄制御手段と、第二始動口の入球を契機として、前記第二特別図柄表示装置の第二特別図柄を変動開始し、所定変動時間の経過後に、前記当否判定手段による判定結果を示す図柄態様で停止表示させる第二特別図柄制御手段と、前記当否判定手段で大当り判定した場合に、前記第一特別図柄の変動停止または第二特別図柄の変動停止に基づいて、前記大入賞口を開放する開放ラウンドを複数回繰り返す大当り遊技を実行する大当り遊技制御手段と、前記当否判定手段で小当り判定した場合に、前記第一特別図柄の変動停止または第二特別図柄の変動停止に基づいて、前記大入賞口を、前記大当り遊技による開放ラウンドの総開放時間よりも短い時間で開放させる小当り遊技を実行する小当り遊技制御手段と、前記大当り遊技の終了後に、通常の遊技状態と、該通常の遊技状態に比して遊技者の獲得可能な利益が高い複数の高利得遊技状態とのいずれかに選択的に移行させる遊技状態移行手段とを備え、前記第一特別図柄と第二特別図柄とを同時並行して変動可能である弾球遊技機において、前記当否判定手段は、第二始動口への入球により抽出した乱数を判定する場合に、ハズレ判定する確率よりも高く定めた小当り確率によって小当りか否かを判定する判定処理内容を備え、前記第二特別図柄制御手段は、第二特別図柄の平均変動時間を、第一特別図柄の平均変動時間よりも長くする長変動制御内容と、特定の高利得遊技状態における第二特別図柄の平均変動時間を、第一特別図柄の平均変動時間以下とする短変動制御内容とを備え、また、大当り遊技の開始から終了までの大当り遊技状態と前記特定の高利得遊技状態とが連続する連続有利期間に亘って、一連の特典演出画像を表示する特典演出制御手段を備えているものであり、さらに、前記特定の高利得遊技状態は、当否判定手段における大当り当選確率を通常の遊技状態に比して高くし、かつ他の高利得遊技状態に比して、大当り遊技の連続回数を少なくしたものであって、遊技状態移行手段は、前記特定の高利得遊技状態を介して実行される大当り遊技の連続回数が、予め定められた連続上限値に達すると、大当り遊技の終了後に該特定の高利得遊技状態を除く他の遊技状態へ移行させる処理内容を備えてなり、特典演出制御手段が一連の特典演出画像を表示する連続有利期間が、前記特定の高利得遊技状態を除く他の遊技状態へ移行する大当り遊技の終了に伴って、期間終了するものであることを特徴とする弾球遊技機である。
【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
複数段階の設定値のうち設定中の一の設定値に応じて遊技を進行させる遊技制御手段と、
遊技球が流下可能な遊技領域に設けられた始動領域と、
前記始動領域への遊技球の入球状況に基づいて前記一の設定値が設定されていることを遊技者に示唆可能な設定値示唆手段と、
を備える遊技機。
【請求項２】
前記始動領域に遊技球が入球したことを契機として取得された保留情報を記憶する保留情報記憶手段と、
前記保留情報記憶手段が記憶している保留情報数に基づく演算を行う保留情報演算手段と、を備え、
前記設定値示唆手段は、前記入球状況を示す前記演算の結果に基づいて前記一の設定値が設定されていることを遊技者に示唆可能である
請求項１記載の遊技機。
【手続補正２】
【補正対象書類名】明細書
【補正対象項目名】０００６
【補正方法】変更
【補正の内容】
【０００６】
上記課題を解決するために、本発明の一態様による遊技機は、複数段階の設定値のうち設定中の一の設定値に応じて遊技を進行させる遊技制御手段と、遊技球が流下可能な遊技領域に設けられた始動領域と、前記始動領域への遊技球の入球状況に基づいて前記一の設定値が設定されていることを遊技者に示唆可能な設定値示唆手段と、を備える。
【手続補正３】
【補正対象書類名】明細書
【補正対象項目名】０００７
【補正方法】変更
【補正の内容】
【０００７】
また、上記本発明の一態様による遊技機は、前記始動領域に遊技球が入球したことを契機として取得された保留情報を記憶する保留情報記憶手段と、前記保留情報記憶手段が記憶している保留情報数に基づく演算を行う保留情報演算手段と、を備え、前記設定値示唆手段は、前記入球状況を示す前記演算の結果に基づいて前記一の設定値が設定されていることを遊技者に示唆可能であってもよい。
【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
ピニオンを有する回転部材と、
圧電体が振動する振動部と、前記回転部材と当接して前記振動を前記回転部材に伝達する凸部と、を有する駆動部と、
前記ピニオンと噛み合い、前記ピニオンの回転によって移動するラックと、
前記ラックに接続されている把持部と、を備え、
前記凸部と前記回転部材とが当接する当接部は、前記回転部材の回転軸方向からの平面視で、前記ピニオンの外周よりも外側に位置していることを特徴とする把持装置。
【請求項２】
前記振動部と前記凸部とが並ぶ方向は、前記回転軸に沿っている請求項１に記載の把持装置。
【請求項３】
前記振動部と前記凸部とが並ぶ方向は、前記回転軸と直交する方向に沿っている請求項１に記載の把持装置。
【請求項４】
前記ラックを２つ有し、
前記ラックの２つは互いの歯が向き合って配置されている請求項１ないし３のいずれか１項に記載の把持装置。
【請求項５】
前記回転部材と前記ピニオンとが回転ばねを介して接続している請求項１ないし４のいずれか１項に記載の把持装置。
【請求項６】
請求項１ないし５のいずれか１項に記載の把持装置を有することを特徴とするロボット。
【手続補正書】
【提出日】令和3年1月5日(2021.1.5)
【手続補正１】
【補正対象書類名】明細書
【補正対象項目名】００４３
【補正方法】変更
【補正の内容】
【００４３】
研磨ヘッド１の基準高さは、研磨パッド３の研磨面３ａに対する研磨ヘッド１の全体の相対的な高さである。研磨ヘッド１の基準高さは、ウェーハに加えられる研磨荷重に影響する。したがって、ウェーハを研磨するときは、研磨ヘッド１の基準高さは常に同じである必要がある。しかしながら、ウェーハの研磨および研磨パッド３のドレッシングに伴って研磨パッド３は徐々に摩耗し、結果として研磨ヘッド１の基準高さが変化してしまう。そこで、研磨パッド３の摩耗にかかわらず研磨ヘッド１の基準高さが一定に保たれるように、研磨パッド３の減耗量に従って研磨ヘッド１の基準高さが調節される。